(57)【要約】【課題】単位時間あたりの原稿読み込み枚数を増加することが可能な、原稿にループを形成してレジストレーションを行うレジスト手段を有する原稿読み取り装置を提供する。【解決手段】レジスト手段は、前記原稿の傾きの修正を、原稿搬送制御手段の指示により実行する。原稿搬送制御手段は、レジスト手段に、原稿の傾きの修正を実行させるか否かを、原稿読み取り手段が取得する画像情報に関する設定の内容により決定する。【選択図】図１２
2010021832.tif 000002
【特許請求の範囲】
【請求項１】
原稿を搬送する原稿搬送手段と、
前記原稿搬送手段に搬送される原稿を停止部材に突き当ててループを形成することにより搬送方向に対する原稿の傾きを修正するレジスト手段と、
前記原稿搬送手段に搬送された原稿を読み取って画像情報を取得する原稿読み取り手段と、
を有し、
前記レジスト手段は、前記原稿の傾きの修正を、原稿搬送制御手段の指示により実行することを特徴とする原稿読み取り装置。
【請求項２】
前記原稿搬送制御手段は、前記レジスト手段に、前記原稿の傾きの修正を実行させるか否かを、前記原稿読み取り手段が取得する画像情報に関する設定の内容により決定することを特徴とする請求項１に記載の原稿読み取り装置。
【請求項３】
前記原稿搬送制御手段は、前記原稿読み取り手段が取得する画像情報に関する設定が、画像情報を原稿の複写プリントの形成に使用するものであるときには、前記レジスト手段に、前記原稿の傾きの修正を実行させるように決定することを特徴とする請求項２に記載の原稿読み取り装置。
【請求項４】
前記原稿搬送制御手段は、前記原稿読み取り手段が取得する画像情報に関する設定が、画像情報を、電話回線を介して接続された他の機器に送信するものであり、かつ、文字情報のみである場合には、前記レジスト手段に、前記原稿の傾きの修正を実行させないように決定することを特徴とする請求項２に記載の原稿読み取り装置。
【請求項５】
前記原稿搬送制御手段は、前記原稿読み取り手段が取得する画像情報に関する設定が、画像情報を、ネットワーク回線に接続された他の機器に送信するものであり、かつ、解像度の選択が所定の値以下の解像度である場合には、前記レジスト手段に、前記原稿の傾きの修正を実行させないように決定することを特徴とする請求項２に記載の原稿読み取り装置。
【請求項６】
前記原稿読み取り手段が取得する画像情報に関する設定は、原稿読み取り装置が実行するジョブの内容を入力可能な入力手段に入力されたものであることを特徴とする請求項２〜請求項５のいずれかに記載の原稿読み取り装置。
【請求項７】
前記入力手段は、前記レジスト手段に前記原稿の傾きの修正を実行させるか否かを前記原稿搬送制御手段に決定させる第１の選択、前記レジスト手段に前記原稿の傾きの修正を常に実行させない第２の選択、および、前記レジスト手段に前記原稿の傾きの修正を常に実行させる第３の選択、が入力可能であることを特徴とする請求項６に記載の原稿読み取り装置。
【請求項８】
前記原稿搬送制御手段は、前記入力手段から、前記第１の選択、前記第２の選択、前記第３の選択、のいずれかが入力されたときには、入力された選択の内容にしたがって、レジスト手段に前記原稿の傾きの修正を実行させるか否かを決定することを特徴とする、請求項７に記載の原稿読み取り装置。
【発明の詳細な説明】
【技術分野】
【０００１】
傾き修正を行うレジスト手段を有する原稿読み取り装置に関する。
【背景技術】
【０００２】
プリンタ、ファクシミリ装置、スキャナ装置は、画像情報を使用して動作する。
【０００３】
プリンタは画像情報を記録紙に出力してプリントを作製し、ファクシミリ装置は、画像情報を、電話回線を介して接続された他の機器に送信し、スキャナ装置は、画像情報を、ネットワーク回線を介して接続された他の機器に送信する。
【０００４】
原稿読み取り装置は、画像情報を取得する装置の一つであり、シート状の原稿を１枚ずつ連続して搬送する原稿搬送手段と、原稿を読み取って画像情報を取得する原稿読み取り手段と、を有し、原稿搬送手段に搬送された原稿を原稿読み取り手段にて読み取り、画像情報を取得するものである。
【０００５】
原稿読み取り装置は、プリンタ、ファクシミリ装置、スキャナ装置のそれぞれに搭載された形態で使用されること、あるいは、１台でプリンタ、ファクシミリ装置、スキャナ装置として機能する多機能の画像形成装置に搭載された形態で使用されることが多い。
【０００６】
このような、原稿読み取り装置が、プリンタ、ファクシミリ装置、スキャナ装置、あるいは、多機能の画像形成装置に搭載された形態にて使用されるときは、大量の原稿の搬送と画像情報の取得を、プリンタ、ファクシミリ装置、スキャナ装置、あるいは、多機能の画像形成装置の動作に連係して行うので利便性が高い。
【０００７】
ところで、原稿読み取り装置が、プリンタ、あるいは、プリンタとして機能する画像形成装置と組み合わされて使用されるとき、プリンタ、あるいは、プリンタとして機能する画像形成装置は、原稿読み取り装置が取得した画像情報を使用して原稿の複写プリントを形成する。この、原稿の複写プリントに出力された画像は、記録紙の輪郭に対して傾きがないことが要求される。このために、画像情報には傾きがないことが要求される。したがって、原稿読み取り装置は傾きのない画像情報を取得するために、原稿を、傾かせることなく、原稿読み取り手段に搬送する必要がある。
【０００８】
原稿読み取り装置は、シート状の原稿を原稿搬送手段により１枚ずつ原稿読み取り手段に搬送するが、その過程で原稿の傾きが発生することがある。
【０００９】
このため、原稿読み取り装置は、搬送中に発生した原稿の傾きを修正する機構を有している。このような、原稿の傾きを修正する動作は、レジストレーションと呼ばれ、通常の原稿読み取り装置は、レジストレーションを行うための手段（以下、レジスト手段、と記す。）を、備えている。
【００１０】
レジストレーションの方法としては、原稿搬送路中に、例えば、レジストローラと呼ばれるローラ対を設け、停止状態にあるレジストローラ対のニップ部に、搬送されるシート状の原稿の先端側の辺を突き当てて原稿の傾きを修正する方式が知られている。原稿の先端側の辺は停止させた状態のレジストローラ対のニップ部にて移動を阻止される一方で後端側の搬送が継続してなされることにより、原稿は撓んでループが形成され、ループにより原稿の先端側の辺をレジストローラのニップに添わせることができる。そして、原稿の先端側の辺をレジストローラのニップに添わせた状態にてレジストローラ対を回転させると、レジストローラに挟持されて搬送される原稿の傾きが修正される。
【００１１】
このようなレジストレーションを原稿読み取り手段の原稿搬送方向の上流にて行うことにより、原稿読み取り手段は傾きのない画像情報を取得することができる。
【００１２】
このような、搬送される原稿を停止部材に突き当ててループを形成してレジストレーションを行う方式は、簡単な構造で傾きの修正を行うことができるが、ループを形成する間、原稿の先端側の移動は一時停止されることになる。
【００１３】
ところで、近年、事務効率の向上を図る手段として、原稿読み取りの高速化が求められている。原稿読み取りの高速化とは、単位時間あたりの原稿読み取り枚数を増加させることである。前述の、原稿にループを形成してレジストレーションを行う方式は、原稿の搬送途中で原稿の先端部の移動を、一時停止する。この、搬送途中での原稿の先端の移動停止は、原稿の搬送を開始し終了するまでに要する時間に影響し、特に複数の原稿を連続して搬送するとき、単位時間あたりの原稿読み取り枚数を増加させること対しての阻害要因となっている。
【００１４】
ところで、原稿読み取り装置の高速化を行うに、シートの移動を停止させることなく、斜行、すなわち傾きを修正する技術が提案されている（特許文献１）。特許文献１提案されている技術は、シートの搬送路中における、シート搬送方向に垂直な軸線上に２個のセンサを配置してシート先端の傾きを検出し、シート搬送方向に垂直な軸上に配置され、それぞれ独立して駆動されてレジストレーション手段として機能する２つの斜行補正ローラ対のそれぞれのシート搬送スピードをシートの傾きに応じて制御してシートの斜行を補正しようとするものである。この技術によれば、シートを停止させることなく斜行の補正を行えるため、他の方式にくらべて読み込み速度の高速化を図れるが、２個のセンサや、シート搬送方向に垂直な軸上にそれぞれ独立して駆動する２つの斜行補正ローラ対や、その制御手段を必要とするので、構造が複雑になることは避けられない。
【特許文献１】特開平７−２２３７５６号公報
【発明の開示】
【発明が解決しようとする課題】
【００１５】
単位時間あたりの原稿読み込み枚数を増加することが可能な、原稿にループを形成してレジストレーションを行うレジスト手段を有する原稿読み取り装置を提供することを課題とする。
【課題を解決するための手段】
【００１６】
前記課題は以下の手段により解決される。
（１）原稿を搬送する原稿搬送手段と、
前記原稿搬送手段に搬送される原稿を停止部材に突き当ててループを形成することにより搬送方向に対する原稿の傾きを修正するレジスト手段と、
前記原稿搬送手段に搬送された原稿を読み取って画像情報を取得する原稿読み取り手段と、
を有し、
前記レジスト手段は、前記原稿の傾きの修正を、原稿搬送制御手段の指示により実行することを特徴とする原稿読み取り装置。
（２）前記原稿搬送制御手段は、前記レジスト手段に、前記原稿の傾きの修正を実行させるか否かを、前記原稿読み取り手段が取得する画像情報に関する設定の内容により決定することを特徴とする前記（１）に記載の原稿読み取り装置。
（３）前記原稿搬送制御手段は、前記原稿読み取り手段が取得する画像情報に関する設定が、画像情報を原稿の複写プリントの形成に使用するものであるときには、前記レジスト手段に、前記原稿の傾きの修正を実行させるように決定することを特徴とする前記（２）に記載の原稿読み取り装置。
（４）前記原稿搬送制御手段は、前記原稿読み取り手段が取得する画像情報に関する設定が、画像情報を、電話回線を介して接続された他の機器に送信するものであり、かつ、文字情報のみである場合には、前記レジスト手段に、前記原稿の傾きの修正を実行させないように決定することを特徴とする前記（２）に記載の原稿読み取り装置。
（５）前記原稿搬送制御手段は、前記原稿読み取り手段が取得する画像情報に関する設定が、画像情報を、ネットワーク回線に接続された他の機器に送信するものであり、かつ、解像度の選択が所定の値以下の解像度である場合には、前記レジスト手段に、前記原稿の傾きの修正を実行させないように決定することを特徴とする前記（２）に記載の原稿読み取り装置。
（６）前記原稿読み取り手段が取得する画像情報に関する設定は、原稿読み取り装置が実行するジョブの内容を入力可能な入力手段に入力されたものであることを特徴とする前記（２）〜（５）のいずれかに記載の原稿読み取り装置。
（７）前記入力手段は、前記レジスト手段に前記原稿の傾きの修正を実行させるか否かを前記原稿搬送制御手段に決定させる第１の選択、前記レジスト手段に前記原稿の傾きの修正を常に実行させない第２の選択、および、前記レジスト手段に前記原稿の傾きの修正を常に実行させる第３の選択、が入力可能であることを特徴とする前記（６）に記載の原稿読み取り装置。
（８）前記原稿搬送制御手段は、前記入力手段から、前記第１の選択、前記第２の選択、前記第３の選択、のいずれかが入力されたときには、入力された選択の内容にしたがって、レジスト手段に前記原稿の傾きの修正を実行させるか否かを決定することを特徴とする、前記（７）に記載の原稿読み取り装置。
【発明の効果】
【００１７】
本発明により単位時間あたりの原稿読み込み枚数を増加することが可能な、原稿にループを形成してレジストレーションを行うレジスト手段を有する原稿読み取り装置を提供できる。
【発明を実施するための最良の形態】
【００１８】
レジスト手段を有する原稿読み取り装置は、原稿を傾くことなく搬送し画像情報を取得する。原稿にループを形成してレジストレーションを行う方式は、構造が簡単であるが搬送中の原稿の停止を必要とし、原稿読み取り装置に求められている、単位時間あたりの原稿読み込み枚数を増加することを困難にしている。
【００１９】
発明者は、原稿にループを形成してレジストレーションを行うレジスト手段を有する原稿読み取り装置における単位時間あたりの原稿読み込み枚数を増加することを課題とし、その解決にあたり、原稿読み取り装置が取得する画像情報に関する設定と、画像の傾きとの関連について検討した結果、以下の結論を得た。
【００２０】
画像情報を記録紙に出力して原稿の複写プリントを作製するときには、複写プリントの画像は記録紙の輪郭に対して傾きがないことが要求される。このために、複写プリントの作製に使用される画像情報には傾きがあってはならず、傾きのない画像情報を取得することが必要である。したがって、原稿の複写プリントを作製するときには、原稿は傾きなく搬送されなければならず、レジストレーションを必要とする。
【００２１】
一方、画像情報を他の機器に送信するようなときには、送信する画像情報に傾きが許容される度合いが大きく、原稿のレジストレーションを必ずしも必要としない。例えば、画像情報を、電話回線を介して接続された他の装置に送信するときには、原稿が画や写真を含まない文字のみである場合には原稿のレジストレーションを必要としない。また、画像情報を、ネットワーク回線を介して接続された他の装置に送信するときには、高解像度で読み込む必要がある原稿以外はレジストレーションを必要としない。ここで高解像度とは、例えば２５．４ｍｍ（＝１インチ）あたりの画素数が４００以上の解像度をいう。なお、解像度を表示する単位としては、１インチあたりの画素数を表す「ｄｐｉ（＝ｄｏｔ  ｐｅｒ  ｉｎｃｈ）」、が用いられることが多い。例えば、２５．４ｍｍ（＝１インチ）あたりの画素数が４００の解像度は、４００ｄｐｉ、と表記される。以後の記載に際しても、解像度を表す単位として、「ｄｐｉ」、を使用することがある。
【００２２】
したがって、画像情報を、電話回線、あるいは、ネットワーク回線を介して送信するときには、その条件によってはレジストレーションを行わずに原稿搬送を行うことが可能である。そして、レジストレーションを行わずに原稿搬送を行うことにより、原稿読み取り装置における単位時間あたりの原稿読み込み枚数を増加することができる。
【００２３】
本発明は前記の結論を踏まえてなされたものであり、原稿搬送制御手段が、原稿読み取り装置が取得する画像情報の設定の内容に基づいて、原稿搬送に際してレジストレーションを行うか否かを決定し、その決定結果にて動作することにより、単位時間あたりの原稿読み込み枚数を増やすことを可能にした原稿読み取り装置を提供するものである。
＜実施の形態＞
図１は、本発明の原稿読み取り装置２００を画像形成装置１００に搭載した形態を示す図である。
【００２４】
画像形成装置１００は、画像情報を、記録紙に出力して複写プリントを作製するプリンタとして機能する他に、画像情報を電話回線（非図示）介して接続されたファクシミリ装置（非図示）へ送信するファクシミリ装置、あるいはネットワーク回線（非図示）介して接続された装置、例えばパーソナルコンピュータ（非図示）に送信するスキャナ装置、として機能することが可能な多機能の画像形成装置である。なお、原稿読み取り装置２００は、多機能の画像形成装置に搭載されることに限定されず、単体のプリンタやファクシミリ装置に搭載されるものでもよい。
【００２５】
画像形成装置１００は、後述するように、画像情報を取得可能な画像読み取り部１１０を有するが、原稿読み取り装置２００に原稿が載置されているときは、画像読み取り部１１０に優先して、原稿読み取り装置２００に載置された原稿から、原稿読み取り装置２００が取得した画像情報を用いてジョブを実行するように構成されている。
【００２６】
すなわち、画像形成装置１００がプリンタとして機能するとき、原稿読み取り装置２００に原稿が載置されている場合は、原稿読み取り装置２００に載置された原稿から、原稿読み取り装置２００が取得した画像情報を用いて複写プリントを作製する。
【００２７】
同様に、画像形成装置１００がファクシミリ装置、あるいはスキャナ装置として機能するとき、原稿読み取り装置２００に原稿が載置されているときには、原稿読み取り装置２００に載置された原稿から、原稿読み取り装置２００が取得した画像情報を電話回線あるいはネットワーク回線を介して接続された装置に送信する。
【００２８】
画像形成装置１００は、画像読み取り部１１０、画像書込部１３０、画像形成部１４０、給紙搬送部１５０、定着部１６０、操作表示部１７０、制御部１９０を有する。
【００２９】
制御部１９０は、画像読み取り部１１０、画像書込部１３０、画像形成部１４０、給紙搬送部１５０、定着部１６０、操作表示部１７０、の動作を操作表示部１７０から入力された情報に基づいて制御する制御手段である。制御部１９０は、画像形成装置１００の動作を制御するとともに、搭載した画像読み取り装置２００を、画像形成装置１００の動作に連動して動作させるように制御する。この制御部１９０（図８に図示）は、特許請求の範囲に記した原稿搬送制御手段として機能する。
【００３０】
操作表示部１７０は、液晶パネルで構成される表示部にタッチスクリーンを重ねて配置したタッチパネルを備えており、操作表示部１７０により各種操作画面を表示したり、画像形成装置１００に実行させるジョブの内容を入力したりすることができ、画像形成装置１００を、プリンタ、ファクシミリ装置、スキャナ装置のいずれかの機能にて動作させるかの選択をジョブ情報として入力できる。また、原稿読み取り装置２００に画像形成装置１００の動作に連動して画像情報を取得させるに際しての設定を入力できる。この、操作表示部１７０は、特許請求の範囲に記した入力手段として機能する。
【００３１】
原稿搬送制御手段として機能する制御部１９０は、入力手段として機能する操作表示部１７０に入力された画像情報に関する設定から、原稿読み取り装置２００を動作させるに際して、レジストレーションを行わせるか否かを決定し、決定に基づいて原稿読み取り手段２００を動作させる。
【００３２】
制御部１９０が、原稿読み取り装置２００にレジストレーションを行わせるか否かを決定し、決定に基づいて原稿読み取り手段を動作させる制御の詳細は後述する。
【００３３】
画像形成部１４０は、感光体ドラム、現像部、転写部、を有している。
【００３４】
給紙搬送部１５０は、給紙カセット、搬送部、排紙部を備えている。
【００３５】
画像読み取り部１１０は、原稿載置部、光学系、光電変換素子を有し、原稿載置部に載置された原稿を読み取り、画像情報を取得する。
【００３６】
画像形成装置１００がプリンタとして機能するときは、原稿読み取り装置２００あるいは画像読み取り部１１０が取得した画像情報は、画像処理部１２０（図８に図示）にて、複写プリントの作製に適応する画像処理を施され、画像書込部１３０により画像形成部１４０の感光体ドラムに書き込まれて潜像となる。感光体ドラム上の潜像は現像部により可視画像となり、転写部にて給紙搬送部１５０により搬送されてきた記録紙Ｓに転写される。可視画像が転写された記録紙は定着部１６０により定着されて排紙部により排出され複写プリントとなる。
【００３７】
また、画像形成装置１００が、ファクシミリ装置、スキャナ装置のいずれかとして機能するときは、原稿読み取り装置２００あるいは画像読み取り部１１０が取得した画像情報を、画像処理部１２０にて、原稿の複写プリントの作製、電話回線、あるいはネットワーク回線を介して接続されたファクシミリ装置や、パーソナルコンピュータへの画像情報の送信に適応する画像処理を行い、画像処理がなされた画像情報が、電話回線、あるいはネットワーク回線を経由して他の装置へ送信される。
【００３８】
画像形成装置１００が、プリンタ、ファクシミリ装置、スキャナ装置のいずれにて機能するかは、操作表示部１７０から入力されたジョブ情報による。
【００３９】
前述したように、画像形成装置１００は、画像形成装置１００に配された画像読み取り部１１０が取得した画像情報、あるいは、原稿読み取り装置２００が取得した画像情報を用いて動作する。
【００４０】
そして、原稿読み取り装置２００に原稿が載置されているときには、原稿読み取り装置２００を画像読み取り部１１０に優先させて動作させて画像情報を取得させ、原稿読み取り装置２００が取得した画像情報を用いて動作する。
【００４１】
以下の説明は、原稿読み取り装置２００に原稿が載置されているとき、すなわち、原稿読み取り装置２００を優先して動作させる状態を前提とするものである。
【００４２】
図２は、原稿読み取り装置２００の構成を説明する概念図である。
【００４３】
原稿読み取り装置２００は、原稿載置台２１０、原稿排出台２２０、原稿搬送部２３０、原稿センサ２４１、２４２、原稿読み取り部２５０を備える。
【００４４】
原稿載置台２１０および原稿排出台２２０は、シート状の原稿Ｐを複数枚載置可能な載置台である。
【００４５】
特許請求の範囲に記した原稿搬送手段として機能する原稿搬送部２３０は、それぞれの回転軸を平行に配置された、ローラ群Ｒ１、ローラ対Ｒ２、ローラ対Ｒ３、ローラ対Ｒ４、ローラ対Ｒ５、ローラ対Ｒ６を有する。一連のローラ群およびローラ対が動作することにより、原稿Ｐは各ローラの回転軸に垂直な方向に搬送される。原稿搬送部２３０により原稿Ｐが搬送される経路を以下、原稿搬送経路、と称することにする。図に示される破線が原稿搬送経路である。
【００４６】
原稿搬送部２３０は、原稿載置台２１０に載置された原稿Ｐを、原稿読み取り部２５０に対向する位置に搬送し、原稿排出台２２０に排出する。
【００４７】
特許請求の範囲に記した原稿読み取り手段として機能する原稿読み取り部２５０は、光学系と光電変換素子を有し、原稿搬送部２３０により対向位置に搬送された原稿を読み取り、画像情報を取得する。
【００４８】
ローラ群Ｒ１は送り出しローラとして機能し、原稿載置台２１０に載置された原稿Ｐを１枚ずつ原稿の搬送経路に送り出す。ローラ群Ｒ１により送り出された原稿Ｐは、ローラ対Ｒ２〜第５ローラ対Ｒ５により所定の搬送経路を搬送され、原稿排出台２２０に排出される。
【００４９】
ローラ群Ｒ１、ローラ対Ｒ２、ローラ対Ｒ３、ローラ対Ｒ４、ローラ対Ｒ５、は、それぞれ、不図示の、第１モータＭ１、第２モータＭ２、第３モータＭ３、第４モータＭ４、第５モータＭ５にて駆動される。ローラ群Ｒ１、ローラ対Ｒ２〜Ｒ５のそれぞれが搬送経路に沿って原稿Ｐを搬送する速度は同一であり、ｖで表わすことにする。
【００５０】
原稿載置台２１０から１枚ずつローラ群Ｒ１で送り出され、ローラ対Ｒ２を経て搬送された原稿Ｐは、ローラ対Ｒ３にて、傾きの修正、すなわち、レジストレーションがなされる。ローラ対Ｒ３は、搬送される原稿にループを形成して傾きを修正するレジスト手段として機能する。レジストレーションがなされた原稿Ｐは、第４ローラ対Ｒ４、を経て画像形成装置１００の原稿読み取り部２５０の対向位置を搬送されて、第５ローラ対Ｒ５を経て原稿排出台２２０に排出される。原稿Ｐが原稿読み取り部２５０の対向位置を搬送される間に、原稿読み取り部２５０にて原稿Ｐの読み取りがなされ、原稿Ｐの画像情報が取得される。
【００５１】
原稿センサ２４１は原稿載置台２１０に配置された光学センサであり、原稿Ｐが原稿載置台２１０に存在しているとき原稿検知信号を発信する。
【００５２】
前述のように、画像形成装置１００は原稿読み取り装置２００に原稿が載置されているときは、画像読み取り部１１０に優先して、原稿読み取り装置２００に載置された原稿から、原稿読み取り装置２００が取得した画像情報を用いてジョブを実行する。原稿読み取り装置２００に原稿が載置されているか否かは、原稿センサ２４１が原稿載置台２１０に原稿Ｐが存在しているとき発信する原稿検知信号の有無により判断される。
【００５３】
原稿センサ２４２は原稿搬送経路のローラ群Ｒ１とローラ対Ｒ２との間に配置された光学センサであり、原稿搬送経路を搬送される原稿Ｐの先端が原稿センサ２４２の対向位置を通過したとき原稿先端検知信号を発信し、原稿Ｐの後端が原稿センサ２４２の対向位置を通過したとき原稿後端検知信号を発信する。
【００５４】
原稿搬送部２３０における第１モータＭ１〜第５モータＭ５は、原稿搬送制御部２９０により、作動、停止が制御される。また、原稿搬送制御部２９０の原稿搬送部２３０の動作の制御は、原稿センサ２４１の原稿検知信号および原稿センサ２４２の原稿先端検知信号あるいは、原稿後端検知信号の有無を踏まえてなされる。
【００５５】
原稿読み取り装置２００は、原稿の傾きの修正、すなわちレジストレーションを行いつつ原稿の搬送を行うことと、レジストレーションを行わずに原稿の搬送を行うことが可能である。以下、原稿の傾きの修正、すなわちレジストレーションを行いつつ原稿の搬送を行う搬送モードを精密搬送モード、レジストレーションを行わずに原稿の搬送を行う搬送モードを高速搬送モードと称することにする。
【００５６】
先ず、レジストレーションを行いつつなされる原稿の搬送、すなわち、精密搬送モードにおける動作を図３〜図６を用いて説明する。
【００５７】
なお、図３〜図６においては、モータにより駆動されているローラ群、あるいはローラ対は白い円で表わし、モータにより駆動されていないローラ群、あるいはローラ対は黒い円で表わしている。
【００５８】
図３は、原稿読み取り装置２００が原稿の搬送を開始した状態を示す図である。原稿の搬送を開始したときは第１モータＭ１が動作し、ローラ群Ｒ１が駆動される。
【００５９】
ローラ群Ｒ１は送り出しローラとして機能し、第１モータＭ１により駆動されると、原稿載置台２１０から原稿Ｐを１枚取り出し、ローラ対Ｒ２へ向かって速度ｖで搬送する。そして、図３は、搬送された原稿Ｐの先端が原稿センサ２４２の対向位置に到達した状態を示す。原稿センサ２４２は対向位置に到達した原稿Ｐの先端を検知し、原稿先端検知信号を発信する。そして、原稿先端検知信号の発信時点から所定の時間であるｔＳ２Ｒ、ｔＳ３Ｒ、ｔＳ４Ｒ、ｔＳ５Ｒが経過すると、第２モータＭ２、第３モータＭ３、第４モータＭ４、第５モータＭ５、が動作し、それぞれ、ローラ対Ｒ２、ローラ対Ｒ３、ローラ対Ｒ４、ローラ対Ｒ５、を駆動する。
【００６０】
第２モータＭ２〜第５モータＭ５に駆動されるローラ対Ｒ２〜ローラ対Ｒ５は、それぞれ、速度ｖにて原稿を搬送する。
【００６１】
図４は、ローラ対Ｒ３によりなされるレジストレーションの動作を説明する図である。
【００６２】
図４（ａ）は、図３に示す時点から、時間ｔＳ２Ｒが経過し、ｔＳ３Ｒが経過していない状態を示す図である。第２モータＭ２が作動し、ローラ対Ｒ２により搬送された原稿Ｐの先端が、ローラ対Ｒ３のニップ部に到達しているが、第３モータＭ３は動作を開始していないので、ローラ対Ｒ３は駆動されていない。したがって、原稿Ｐの先端は、ローラ対Ｒ３により移動を阻まれる一方で、原稿Ｐの後端側は、ローラ群Ｒ１およびローラ対Ｒ２によりローラ対Ｒ２のニップ部からローラ対Ｒ３に向けて速度ｖにて送り出される状態となる。
【００６３】
図４（ｂ）は、図４（ａ）に示した原稿Ｐの先端がローラ対Ｒ３のニップ部に到達した時点から時間ｔＲが経過した状態を示す。なお、時間ｔＲは、原稿読み取り装置の構成および搬送対象とする原稿の性状、寸法により予め定められる時間である。以下、時間ｔＲを、レジスト時間、と称することにする。
【００６４】
原稿Ｐの先端は、ローラ対Ｒ３により移動を阻まれる一方で、原稿Ｐの後端側は、ローラ対Ｒ２によりローラ対Ｒ３に向けて送り出されるので、レジスト時間ｔＲが経過すると、原稿Ｐには、ローラ対Ｒ２のニップ部とローラ対Ｒ３のニップ部との間で撓み、ループＢが形成される。このループＢに生じた、原稿Ｐの先端をローラ対Ｒ３のニップ部に押し込む方向の応力により、原稿Ｐは、先端の辺がローラ対Ｒ３のニップ部に添った姿勢、すなわち、原稿の先端の辺がローラ対Ｒ３のニップ部に平行な姿勢にて当接した状態になる。
【００６５】
このループＢに生じた応力により、原稿Ｐの先端の辺がローラ対Ｒ３のニップ部に平行に当接することは、原稿Ｐが搬送方向に対して傾いてローラ対Ｒ３まで搬送された場合でも同様になされる。したがって、原稿Ｐが傾いて搬送された場合でもその先端の辺は、ローラ対Ｒ３のニップ部に平行な姿勢にて当接、すなわち、搬送方向に対して傾きのない状態で当接する。
【００６６】
第３モータＭ３は、図３に示した原稿先端検知信号の発信時点から時間ｔＳ３Ｒが経過すると動作を開始する。この、時間ｔＳ３Ｒは、図３に示した原稿先端検知信号の発信時点から、原稿Ｐの先端がローラ対Ｒ３のニップ部に到達するまでの時間にレジスト時間ｔＲを加算した時間に設定されている。
【００６７】
第３モータＭ３が作動を開始すると、ローラ対Ｒ３が駆動される。
【００６８】
図４（ｃ）は、図３に示す状態から時間ｔＳ３Ｒが経過し、さらに時間ｔＳ４Ｒが経過した状態を示す図である。図４（ｃ）においては、ローラ対Ｒ３が作動し、原稿Ｐを速度ｖで搬送している状態が示されている。また、時間ｔＳ４Ｒの経過に伴い、第４モータＭ４が動作してローラ対Ｒ４が作動状態にある。
【００６９】
図４（ｃ）に示す状態では、原稿Ｐはローラ対Ｒ３から、ローラ対Ｒ３のニップ部に平行な姿勢、すなわち、搬送方向に対した傾きのない状態で、ローラ対Ｒ４に向けて送り出される。このように、原稿Ｐにループを形成した後にローラ対Ｒ３を動作させることにより、ローラ対Ｒ３まで搬送された原稿に傾きが生じていたときでも、ローラ対Ｒ３により送り出される原稿は傾きの修正、すなわちレジストレーションがなされる。
【００７０】
そして、原稿Ｐは、ローラ対Ｒ３とともに、ローラ対Ｒ２により速度ｖにて搬送されるので、原稿Ｐは、ローラ対Ｒ３とローラ対Ｒ２の間にループＢが存続する状態で搬送される。そして、原稿Ｐにおけるローラ対Ｒ３のニップ部に挟持される部分の傾きと、ローラ対Ｒ２のニップ部に挟持される部分との傾きの差はループＢにより吸収されるので、原稿Ｐは円滑に搬送される。
【００７１】
また、図４（ｃ）は、原稿Ｐの後端が原稿センサ２４２の対向位置に到達した状態を示している。原稿Ｐの後端を検知した原稿センサ２４２から、原稿後端検知信号が発信される。
【００７２】
図４（ｄ）は、ローラ対Ｒ２により速度ｖにて搬送された原稿Ｐの後端が、ローラ対Ｒ２のニップ部を通過した時点を示す図である。この時点では、原稿Ｐにはローラ対Ｒ２による搬送力が付与されないが、ループＢは残存し、原稿Ｐの後端はループＢに生じた応力により、ローラ対Ｒ２のニップ部に当接する。
【００７３】
ループＢは、図４（ｂ）にて説明したように、ローラ対Ｒ３のニップ部に到達した原稿Ｐの先端の移動が、レジスト時間ｔＲが経過するまで、阻まれることにより形成されたものであるので、原稿Ｐの後端がローラ対Ｒ２のニップ部を通過した時点から、レジスト時間ｔＲに等しい時間が経過するまで残存する。
【００７４】
図４（ｅ）は、原稿Ｐの後端がローラ対Ｒ２のニップ部を通過した時点からレジスト時間ｔＲに等しい時間が経過して、ループＢが消滅した状態を示す図である。
【００７５】
ループＢが消滅すると原稿Ｐの後端は、速度ｖでローラ対Ｒ２のニップ部から離間する。また、図４（ｅ）は、図４（ｃ）に示した、原稿センサ２４２から原稿後端検知信号が発信され時点から、ｔＥ１Ｒ、およびｔＥ２Ｒ、が経過した時点を示す図であり、ローラ群Ｒ１とローラ対Ｒ２の作動が停止している。
【００７６】
図５は、図４（ｃ）に示した、原稿センサ２４２から原稿後端検知信号が発信され時点から、ｔＥ３Ｒが経過した時点を示す図である。ローラ群Ｒ１、ローラ対Ｒ２に加えてローラ対Ｒ３が動作を停止し、第４ローラ対Ｒ４と第５ローラ対Ｒ５とが原稿Ｐを、原稿読み取り部２５０の対向位置を搬送している。原稿読み取り部２５０の対向位置を搬送される原稿Ｐは、原稿読み取り部２５０に読み取られ、画像情報が取得されて、原稿排出台２２０に排出される。そして、図４（ｃ）に示した、原稿センサ２４２から原稿後端検知信号が発信され時点から、ｔＥ４Ｒ、ｔＥ５Ｒが経過すると、ローラ対Ｒ４、ローラ対Ｒ５が停止し、原稿搬送動作を終了する。
【００７７】
原稿載置台２１０に後続の原稿があるときは、原稿センサ２４２から原稿後端検知信号が発信されてから、所定の時間ｔＳ１Ｒが経過した後に第１モータＭ１が動作を開始し、後続の原稿を送り出す。
【００７８】
前述のように、原稿Ｐの後端は、ローラ対Ｒ２のニップ部を通過した後は、ループＢが消滅するまでローラ対Ｒ２のニップ部に当接する位置に留まる。
【００７９】
すなわち、原稿Ｐの後端がローラ対Ｒ２のニップ部を通過した時点からループＢが消滅するまでに要する時間であるレジスト時間ｔＲに等しい時間が経過するまで、原稿の後端はローラ対Ｒ２のニップ部に当接する位置に留まる。そして、ループＢが消滅すると、ローラ対Ｒ２のニップ部から離間する。
【００８０】
したがって、先行する原稿をＰ１、先行する原稿Ｐ１に後続する原稿をＰ２としたとき、後続の原稿Ｐ２を先行する原稿Ｐ１と干渉させないために、原稿Ｐ２の搬送を開始するタイミングは、原稿Ｐ１の後端がローラ対Ｒ２のニップ部を通過した時点からレジスト時間ｔＲに等しい時間が経過するまで、ローラ対Ｒ２のニップ部に当接する位置に留まることを前提に設定する必要がある。
【００８１】
図６は、精密搬送モードにおいて、先行する原稿Ｐ１と、原稿Ｐ１に後続する原稿Ｐ２とが搬送されるときの動作を説明する図である。
【００８２】
図６（ａ）乃至（ｅ）は、精密搬送モードで原稿を搬送するときの動作を時系列的に表したものであり、精密搬送モードにおいては、図４（ｂ）等で説明したようにレジストレーションを行うために、ループを形成する。この際に先行する原稿Ｐ１の後端は、ループが消滅するまで、レジスト時間ｔＲだけ停止させる必要があるので、後続の原稿Ｐ２を連続して搬送する際には、レジスト時間ｔＲを考慮して原稿Ｐの搬送間隔を制御する。
【００８３】
図６に示すように連続して搬送するとき原稿Ｐの間隔をｈ＋ｖ・ｔＲで搬送させている。ここでｈは先行する原稿の後端と後続する原稿の先端とが干渉しないよう搬送するために最低限必要な原稿搬送間隔であり、この原稿搬送間隔ｈに、レジスト時間ｔＲの間に移動する距離ｖ・ｔＲを加算した間隔で原稿Ｐを搬送させている。このように、原稿Ｐ１の後端と原稿Ｐ２の先端との間隔をｈ＋ｖ・ｔＲになるタイミングにて原稿Ｐ２の搬送を開始することにより、原稿Ｐ２は原稿Ｐ１と干渉することなく搬送される。
【００８４】
ここまで、本実施の形態における原稿読み取り装置２００が、レジストレーションを行いつつ原稿の搬送を行うモード、すなわち精密搬送モードの動作について説明したが、以下、レジストレーションを行わないで原稿の搬送を行うモード、すなわち高速搬送モードの動作について、図７を用いて説明する。
【００８５】
なお、図７においては、モータにより駆動されているローラ群、あるいはローラ対は白い円で表わし、モータにより駆動されていないローラ群、あるいはローラ対は黒い円で表わしている。
【００８６】
図７は、レジストレーションを行わずに原稿の搬送を行う高速搬送モードの動作を説明する図である。
【００８７】
図７（ａ）乃至（ｃ）は、高速搬送モードで原稿を搬送するときの動作を時系列的に表したものであり、原稿搬送モードにおいては、精密搬送モードで実施していたレジストレーションを行わない。
【００８８】
図７に示すように高速搬送モードでは、連続して原稿Ｐを搬送させる際に、レジスト時間ｔＲを考慮しなくても済み、原稿搬送間隔ｈで原稿Ｐを搬送させることができる。このことから図６に示した精密搬送モードにくらべて単位時間あたりの原稿読み込み枚数を増加でき生産性を向上させることができる。
【００８９】
図８は、画像形成装置１００および、画像形成装置１００に搭載されている原稿読み取り装置２００の制御系を示すブロック図である。
【００９０】
画像形成装置１００は、プリンタ、ファクシミリ装置、スキャナ装置として機能させることが可能な多機能の画像形成装置であり、ネットワーク回線９１０、および電話回線９２０と接続している。
【００９１】
そして、操作表示部１７０に入力されたジョブ情報に基づいて、プリンタ、ファクシミリ装置、スキャナ装置のいずれかにて動作する。
【００９２】
画像形成装置１００は制御部１９０を有し、制御部１９０は操作表示部１７０に入力されたジョブ情報に基づいて、画像形成装置１００を、プリンタ、ファクシミリ装置、スキャナ装置のいずれかにて動作させる。
【００９３】
制御部１９０は、操作表示部１７０に入力されたジョブ情報に基づいて、画像読み取り部１１０あるいは原稿読み取り装置２００が取得した画像情報を用いて画像形成装置１００を動作させる。
【００９４】
制御部１９０は、原稿読み取り装置２００に原稿が載置されているとき、すなわち、原稿センサ２４１が原稿載置台２１０に原稿Ｐが存在しているとき発信する原稿検知信号を受信したときは、画像読み取り部１１０に優先して、原稿読み取り装置２００に載置された原稿から、原稿読み取り装置２００が取得した画像情報を用いてジョブを実行する。
【００９５】
この、制御部１９０は、操作表示部１７０に入力された画像情報に関する設定に基づいて、原稿読み取り装置２００が画像情報を取得するに際して、原稿の傾きの修正を行わせるか否かを決定する、原稿搬送制御手段として機能する。
【００９６】
制御部１９０は、画像形成装置１００をプリンタとして動作させるときは、画像情報を使用して、画像形成装置１００の各機構部を動作させて原稿の複写プリントの作製を行う。
【００９７】
また、ファクシミリ装置として動作させるときは、画像情報を電話回線９２０に接続された他の装置、例えばファクシミリ装置４００に送信するように、画像形成装置１００の各機構部の動作を制御する。また、スキャナ装置として動作させるときには、ネットワーク回線９１０に接続された他の装置、例えばパーソナルコンピュータ３００に送信するように、画像形成装置１００の各機構部の動作を制御する。
【００９８】
画像形成装置１００の制御部１９０は、ＣＰＵ１９１、ＲＯＭ１９５、を有するコンピュータシステムである。
【００９９】
ＣＰＵ１９１は、ＲＯＭ１９５に収納されたプログラムを実行することにより動作する。そして、操作表示部１７０から入力されたジョブ情報に基づいて画像形成装置１００の各部の動作を制御してジョブを実行させる。
【０１００】
また、ＲＯＭ１９５は、操作表示部１７０から入力された画像情報に関する設定に対応して、原稿読み取り装置２００を精密搬送モード、あるいは、高速搬送モードのいずれかで動作させるかを決定するモード決定プログラム、および、モード決定プログラムを実行する際に参照されるモード決定テーブルを収納している。
【０１０１】
ＣＰＵ１９１は、モード決定プログラムを実行し、操作表示部１７０から入力された画像情報に関する設定に基づいてモード決定テーブルを参照して、原稿読み取り装置２００を精密搬送モード、あるいは、高速搬送モードのいずれかで動作させるかを決定し、決定結果に基づいて原稿読み取り装置２００を決定した搬送モードにて動作させる。モード決定プログラムにおける動作、モード決定テーブルの内容、および、決定した搬送モードにて原稿読み取り装置２００を動作させる制御動作については後述する。
【０１０２】
画像形成装置１００はシリアル通信部１８１を介して原稿読み取り装置２００と接続されており、ＣＰＵ１９１は、シリアル通信部１８１を経由して制御情報を原稿読み取り装置２００に伝達して、原稿読み取り装置２００を画像形成装置１００の動作に連動して動作させる。
【０１０３】
原稿読み取り装置２００は原稿搬送制御部２９０を有し、原稿搬送制御部２９０は、ＣＰＵ２９１、ＲＯＭ２９５、ＲＡＭ２９６、計時手段２９８、を有している。
【０１０４】
そして、シリアル通信部２８１を介して接続された画像形成装置１００からの制御情報を踏まえて原稿搬送部２３０の動作を制御する。
【０１０５】
前述したように、原稿読み取り装置２００は、レジストレーションを行いつつ原稿を搬送する精密搬送モード、あるいは、レジストレーションを行わず原稿を搬送する高速搬送モードのいずれかにて動作することが可能である。
【０１０６】
ＣＰＵ２９１は、画像形成装置１００からの制御情報を踏まえて、ＲＯＭ２９５に収納されたプログラムを実行することにより原稿読み取り装置２００を、精密搬送モード、あるいは、高速搬送モードのいずれかにて動作させる。
【０１０７】
ＲＡＭ２９６は複数の情報の収納と読み出しが可能な記憶手段である。
【０１０８】
計時手段２９８は複数の計時が可能である。
【０１０９】
ＲＯＭ２９５は、ＣＰＵ２９１が、原稿搬送部２３０の第１モータＭ１〜第５モータＭ５を、精密搬送モードにて動作させるプログラム、および、ＣＰＵ２９１が、原稿搬送部２３０の第１モータＭ１〜第５モータＭ５を、高速搬送モードにて動作させるプログラムを収納する。そして、第１モータＭ１〜第５モータＭ５を精密搬送モードにて動作、あるいは停止させるための時間定数、および、高速搬送モードにて動作、あるいは停止させるための時間定数を収納している。
【０１１０】
計時手段２９８は、原稿センサ２４２から原稿先端検知信号が発信された時点からの経過時間ｔＳ１、ｔＳ２、ｔＳ３、ｔＳ４、ｔＳ５、と、原稿センサ２４２から原稿後端検知信号が発信された時点からの経過時間ｔＥ１、ｔＥ２、ｔＥ３、ｔＥ４、ｔＥ５、とを計時する。
【０１１１】
ＣＰＵ２９１は、精密搬送モードにて動作するとき、ｔＳ１がｔＳ１Ｒに到達すると第１モータＭ１を動作させ、同様に、ｔＳ２がｔＳ２Ｒに到達すると第２モータＭ２を、ｔＳ３がｔＳ３Ｒに到達すると第３モータＭ３を、ｔＳ４がｔＳ４Ｒに到達すると第４モータＭ４を、ｔＳ５がｔＳ５Ｒに到達すると第５モータＭ５を動作させる。
【０１１２】
また、ＣＰＵ２９１は、精密搬送モードにて動作するとき、ｔＥ１がｔＥ１Ｒに到達すると第１モータＭ１を停止させ、同様に、ｔＥ２がｔＥ２Ｒに到達すると第２モータＭ２を、ｔＥ３がｔＥ３Ｒに到達すると第３モータＭ３を、ｔＳ４がｔＥ４Ｒに到達すると第４モータＭ４を、ｔＥ５がｔＥ５Ｒに到達すると第５モータＭ５を停止させる。
【０１１３】
ＣＰＵ２９１は、高速搬送モードにて動作するとき、ｔＳ１がｔＳ１Ｎに到達すると第１モータＭ１を動作させ、同様に、ｔＳ２がｔＳ２Ｎに到達すると第２モータＭ２を、ｔＳ３がｔＳ３Ｎに到達すると第３モータＭ３を、ｔＳ４がｔＳ４Ｎに到達すると第４モータＭ４を、ｔＳ５がｔＳ５Ｎに到達すると第５モータＭ５を動作させる。
【０１１４】
また、ＣＰＵ２９１は、高速搬送モードにて動作するとき、ｔＥ１がｔＥ１Ｎに到達すると第１モータＭ１を停止させ、同様に、ｔＥ２がｔＥ２Ｎに到達すると第２モータＭ２を、ｔＥ３がｔＥ３Ｎに到達すると第３モータＭ３を、ｔＳ４がｔＥ４Ｎに到達すると第４モータＭ４を、ｔＥ５がｔＥ５Ｎに到達すると第５モータＭ５を停止させる。
【０１１５】
これら経過時間ｔＳ１〜ｔＳ５、およびｔＥ１〜ｔＥ５、の計測は、ＣＰＵ２９１の制御のもとに開始される。
【０１１６】
このように、ＣＰＵ２９１は、画像形成装置から伝達される制御信号、および、原稿センサ２４１の原稿検知信号と、原稿センサ２４２の原稿先端検知信号発信時点からの経過時間および原稿後端検知信号の発信時点からの経過時間を踏まえて、第１モータＭ１〜第５モータＭ５の作動、および停止を行うように制御することにより、原稿読み取り装置２００を、精密搬送モード、あるいは高速搬送モードにて動作させる。
【０１１７】
原稿読み取り部２５０が取得した画像情報は、シリアル通信部２８１を介して接続された画像形成装置１００に伝達される。
＜実施の形態１＞
本実施の形態の原稿読み取り装置２００は、プリンタ、ファクシミリ装置、スキャナ装置として動作可能な多機能の画像形成装置１００に搭載されており、画像形成装置１００操作表示部１７０に入力されたジョブ情報により、画像形成装置１００に連動して動作する。
【０１１８】
画像形成装置１００は、特許請求の範囲に記した原稿搬送制御手段として機能する制御部１９０と、入力手段として機能する操作表示部１７０とを有する。制御部１９０は、操作表示部１７０に入力されたジョブの設定に基づいて、画像形成装置１００を、プリンタ、ファクシミリ装置、スキャナ装置のいずれかにて動作するとともに、原稿読み取り装置２００が原稿を搬送する搬送モードを、原稿読み取り装置２００が取得する画像情報に関する設定から決定し、決定した搬送モードにて原稿を搬送させる。
【０１１９】
以下、操作表示部１７０の実施の形態１を、図９、図１０、図１１を使用して説明する。
【０１２０】
図９、図１０、図１１に示すように、実施の形態１における操作表示部１７０はコピーボタン１７１、ＦＡＸボタン１７２、スキャナボタン１７３、テンキーボタン１７４、スタートボタン１７５、および表示画面部１７９を有している。
【０１２１】
コピーボタン１７１、ＦＡＸボタン１７２、スキャナボタン１７３、は画像形成装置１００を、プリンタ、ファクシミリ装置、スキャナ装置のいずれの機能で動作させるかを選択する機能選択ボタンである。ユーザが、選択ボタンのいずれかを選択、押圧することにより、画像形成装置１００を、押圧されたボタンに対応して、プリンタ、ファクシミリ装置、スキャナ装置のいずれかにて動作させることができる。
【０１２２】
また、テンキーボタン１７４を押圧することにより、画像形成装置１００をプリンタとして動作させるとき、作製する複写プリントの数や、ファクシミリ装置として動作させるときの送信先の電話番号、等をジョブ情報として入力することができる。そして、スタートボタン１７５を押圧することにより、画像形成装置１００を、プリンタ、あるいはファクシミリ装置、あるいはスキャナ装置としての動作を開始させることができる。
【０１２３】
表示画面部１７９は、入力されたジョブを実行するに際しての条件が表示される表示手段であるとともに、表示された条件を変更したいとき、変更したい条件を入力することができるタッチパネル方式の入力手段でもある。
【０１２４】
操作表示部１７０の機能選択ボタンのうちのコピーボタン１７１が押圧されたとき、画像形成装置１００は、プリンタとして動作し原稿読み取り装置２００が取得した画像情報を用いて複写プリントを作製する。
【０１２５】
図９は、実施の形態１の操作表示部１７０においてコピーボタン１７１が押圧され画像形成装置１００をプリンタとして動作させることが選択されたときの操作表示部１７０を示す図である。
【０１２６】
コピーボタン１７１が押圧されると、表示画面部１７９には、画像形成装置１００がプリンタとして動作するに際しての動作条件が、条件表示部１７９ＣＡ、１７９ＣＢ、１７９ＣＣに表示される。
【０１２７】
この、画像形成装置１００がプリンタとして動作するに際しての動作条件を表示した画面を「プリンタ実行画面」と称することにする。
【０１２８】
画像形成装置１００をプリンタとして、「プリンタ実行画面」に表示された動作条件にて動作させるには、この状態でスタートボタン１７５を押圧すればよい。なお、「プリンタ実行画面」に表示された動作条件とは異なる条件で動作させたいときには、「プリンタ実行画面」における条件表示部１７９ＣＡ、１７９ＣＢ、１７９ＣＣに表示された動作条件のうちの変更を行いたい項目が表示された条件表示部を選択、押圧して設定変更ボタン１７９ＣＡＺを押圧すると、変更を行いたい項目の選択可能な条件が表示される画面が表示されるので、その画面から選択を行うことにより、変更を行うことが可能である。
【０１２９】
画像形成装置１００は、スタートボタン１７５が押圧されると、原稿読み取り装置２００を動作させて原稿を搬送させて画像情報を取得させ、原稿読み取り装置２００が取得した画像情報を用いて複写プリントを作製する。
【０１３０】
図１０は、実施の形態１の操作表示部１７０において画像形成装置１００をファクシミリ装置として動作させることが選択されたときの操作表示部１７０を示す図である。
【０１３１】
画像形成装置１００は、機能選択ボタンのうちのＦＡＸボタン１７２が押圧されたときファクシミリ装置として動作する。
【０１３２】
図１０（ａ）は、ＦＡＸボタン１７２が押圧されたときの操作表示部１７０を示す図である。
【０１３３】
図１０（ａ）に示すように、ＦＡＸボタン１７２が押圧されると、表示画面部１７９には、画像形成装置１００がファクシミリ装置として動作するに際しての動作条件が、条件表示部１７９ＦＡに表示される。本実施の形態の画像形成装置１００は、ファクシミリ装置として動作するとき条件表示部１７９ＦＡに表示された動作条件にて動作する。
【０１３４】
図１０（ａ）の表示画面部１７９に示されるような、画像形成装置１００がファクシミリ装置として動作するときの条件を表示した画面を「ファクシミリ実行画面」と称することにする。
【０１３５】
図１０（ａ）に示す「ファクシミリ実行画面」の条件表示部１７９ＦＡには、動作条件が「原稿品質  文字＋写真」であることが表示されている。この動作条件で画像形成装置１００をファクシミリ装置として動作させることに問題がなければ、ユーザはテンキー１７４から送信先の電話番号を入力し、スタートボタン１７５を押圧すればよい。表示部１７９ＦＣにはテンキー１７４から入力された電話番号が表示される。
【０１３６】
また、画像形成装置１００を「ファクシミリ実行画面」に表示されている条件とは異なる条件で動作させたいときには、「ファクシミリ実行画面」における条件表示部１７９ＦＡを選択、押圧した後、表示画面部１７９に表示されている設定変更ボタン１７９ＦＺを押圧することにより条件の変更を行うことが可能である。
【０１３７】
図１０（ｂ）は、図１０（ａ）に示す「ファクシミリ実行画面」から条件表示部１７９ＦＡが選択され、設定変更ボタン１７９ＦＺが押圧されたときの操作表示部１７０を示す図である。
【０１３８】
条件表示部１７９ＦＡが選択され、設定変更ボタン１７９ＦＺが押圧されると、表示画面部１７９には、動作条件としての原稿品質の選択肢が、表示部１７９ＦＡ１、１７９ＦＡ２、１７９ＦＡ３に表示される。表示部１７９ＦＡ１には選択可能な条件の一つが「原稿品質  文字」であること、表示部１７９ＦＡ２には選択可能な条件の一つが「原稿品質  写真」であること、表示部１７９ＦＡ３には選択可能な条件の一つが「原稿品質  文字＋写真」であることがそれぞれ表示される。
【０１３９】
この、画像形成装置１００がファクシミリ装置として動作するに際して選択可能な動作条件を表示した画面を「条件選択画面」と称することにする。
【０１４０】
なお、「条件選択画面」に表示される動作条件は、「原稿品質」に限定されるものではなく、他の条件項目、例えば、「原稿の濃度」、等、を付加しても良い。
【０１４１】
図１０（ｂ）に示す「条件選択画面」から、ユーザにより表示部１７９ＦＡ１〜１７９ＦＡ３のいずれかが選択、押圧され、ＯＫボタン１７９ＦＡＺが押圧されると、表示画面部１７９の表示は、選択された原稿品質が表示された「ファクシミリ実行画面」に戻る。ユーザはテンキー１７４から送信先の電話番号を入力し、スタートボタン１７５を押圧することにより、画像形成装置１００を、「ファクシミリ実行画面」に表示された動作条件にて、ファクシミリ装置として動作させることができる。
【０１４２】
画像形成装置１００は、スタートボタン１７５が押圧されると、原稿読み取り装置２００を動作させて画像情報を取得させ、原稿読み取り装置２００が取得した画像情報を、電話回線を介して接続された他のファクシミリ装置に送信する。
【０１４３】
図１１は、実施の形態１の操作表示部１７０において画像形成装置１００をスキャナ装置として動作させることが選択されたときの操作表示部１７０を示す図である。
【０１４４】
画像形成装置１００は、機能選択ボタンのうちのスキャナボタン１７３が押圧されたときスキャナ装置として動作する。
【０１４５】
図１１（ａ）は、スキャナボタン１７３が押圧されたときの操作表示部１７０を示す図である。
【０１４６】
図１１（ａ）に示すように、スキャナボタン１７３が押圧されると、表示画面部１７９には、画像形成装置１００がスキャナ装置として動作するに際しての動作条件が、条件表示部１７９ＳＡに表示される。本実施の形態の画像形成装置１００は、スキャナ装置として動作するとき条件表示部１７９ＳＡに表示された動作条件にて動作する。
【０１４７】
図１１（ａ）の表示画面部１７９に示されるような、画像形成装置１００がスキャナ装置として動作するときの条件を表示した画面を「スキャナ実行画面」と称することにする。
【０１４８】
図１１（ａ）に示す「スキャナ実行画面」の条件表示部１７９ＦＡには、動作条件が「解像度  １００ｄｐｉ（普通）」であることが表示されている。この動作条件で画像形成装置１００をファクシミリ装置として動作させることに問題がなければ、ユーザはスタートボタン１７５を押圧すればよい。
【０１４９】
なお、「スキャナ実行画面」に表示される動作条件は、「解像度」に限定されるものではなく、他の条件項目、例えば、「原稿の濃度」、等、を付加しても良い。
【０１５０】
また、画像形成装置１００を「スキャナ実行画面」に表示されている条件とは異なる条件で動作させたいときには、「スキャナ実行画面」における条件表示部１７９ＳＡを選択、押圧した後、表示画面部１７９に表示されている設定変更ボタン１７９ＳＺを押圧することにより条件の変更を行うことが可能である。
【０１５１】
図１１（ｂ）は、図１１（ａ）に示す「スキャナ実行画面」から条件表示部１７９ＳＡが選択され、設定変更ボタン１７９ＦＺが押圧されたときの操作表示部１７０を示す図である。
【０１５２】
条件表示部１７９ＳＡが選択され、設定変更ボタン１７９ＳＺが押圧されると、表示画面部１７９には、動作条件としての解像度の選択肢が、表示部１７９ＳＡ１、１７９ＳＡ２、１７９ＳＡ３に表示される。表示部１７９ＳＡ１には選択可能な条件の一つが「解像度  １００ｄｐｉ（普通）」であること、表示部１７９ＦＡ２には選択可能な条件の一つが「解像度  ２００ｄｐｉ（精細）」であること、表示部１７９ＦＡ３には選択可能な条件の一つが「解像度  ４００ｄｐｉ（高精細）」であることがそれぞれ表示される。
【０１５３】
この、画像形成装置１００がスキャナ装置として動作するに際して選択可能な動作条件を表示した画面を「条件選択画面」と称することにする。
【０１５４】
なお、「条件選択画面」に表示される解像度の選択肢は、「１００ｄｐｉ（普通）」、「２００ｄｐｉ（精細）」、「４００ｄｐｉ（高精細）」の三項目に限定されるものではなく、例えば、１００ｄｐｉより低い解像度や、４００ｄｐｉよりも高い解像度の選択を付加しても良い。
【０１５５】
図１１（ｂ）に示す「条件選択画面」から、ユーザにより表示部１７９ＳＡ１〜１７９ＳＡ３のいずれかが選択、押圧され、ＯＫボタン１７９ＳＡＺが押圧されると、表示画面部１７９の表示は、選択された解像度の条件が表示された「スキャナ実行画面」に戻る。ユーザはスタートボタン１７５を押圧することにより、画像形成装置１００を、「スキャナ実行画面」に表示された動作条件にて、スキャナ装置として動作させることができる。
【０１５６】
画像形成装置１００は、スタートボタン１７５が押圧されると、原稿読み取り装置２００を動作させて画像情報を取得させ、原稿読み取り装置２００が取得した画像情報を、ネットワーク回線を介して接続された他の機器に送信する。
【０１５７】
前述のように、画像形成装置にて複写プリントを作製させるときには、複写プリントに出力された画像は記録紙の輪郭に対して傾きがないことが要求される。したがって、原稿読み取り装置２００に複写プリント作製を目的とした画像情報を取得させるときには、原稿は傾きなく搬送されなければならず、レジストレーションを必要とする。この場合には精密搬送モードを実行する。
【０１５８】
また、画像形成装置がファクシミリ装置やスキャナ装置として動作するときには、送信する画像情報に傾きが許容される度合いが大きく、原稿読み取り装置２００に画像情報を取得させるとき、原稿のレジストレーションを必ずしも必要としない。この場合には、ジョブ内容により精密搬送モードあるいは高速搬送モードのいずれかに決定し、決定した搬送モードを実行する。
【０１５９】
本実施の形態における画像形成装置１００は、操作表示部１７０に入力された画像情報に関する設定から搬送モードを決定し、決定した搬送モードにて原稿読み取り装置２００を動作させる。
【０１６０】
操作表示部１７０に入力された内容に基づいて、画像形成装置１００がプリンタとして動作するときは、原稿読み取り装置２００を、精密搬送モードにて動作させる。
【０１６１】
また、ファクシミリ装置として動作するとき、原稿読み取り装置２００を、操作表示部１７０に入力された動作条件における原稿品質の選択が、「原稿品質  文字」、である場合には、高速搬送モードにて動作させ、動作条件における原稿品質の選択が、「原稿品質  写真」、あるいは、「原稿品質  文字＋写真」、である場合には、精密搬送モードにて動作させる。
【０１６２】
そして、スキャナ装置として動作するとき、原稿読み取り装置２００を、操作表示部１７０に入力された動作条件における選択が、解像度が４００ｄｐｉ（２５．４ｍｍ（＝１インチ）あたりの画素数が４００）以上の解像度であるときは精密搬送モードにて、解像度４００ｄｐｉ未満であるときは高速搬送モードにて動作させる。
【０１６３】
操作表示部１７０に入力された画像情報に関する設定と、画像情報に関する設定より、原稿読み取り装置２００を動作させる原稿搬送モードの組み合わせを表１に示す。表１に示される画像情報に関する設定に対応する搬送モードにて原稿読み取り装置２００が動作することにより、原稿読み取り装置２００が画像情報を取得するに際して、レジストレーションを必要としないときにはレジストレーションを行わずに原稿を搬送するので、単位時間あたりの原稿読み込み枚数を増加することができる。
【０１６４】
【表１】
2010021832.tif 000003
【０１６５】
画像形成装置１００は、ＲＯＭ１９５には、表１に示した、画像情報に関する設定と、それに対応する搬送モードとの組み合わせが、モード決定テーブルとして収納されている。
【０１６６】
ＣＰＵ１９１は、操作表示部１７０から入力されたジョブ内容に基づいてＲＯＭ１９５に収納されているモード決定テーブルを参照し、原稿読み取り装置２００を精密搬送モード、あるいは、高速搬送モードのいずれかで動作させるかを決定する。そして、決定した搬送モードにて原稿読み取り装置２００を動作させるように制御する。原稿読み取り装置２００は、ＣＰＵ１９１の決定結果に基づいて、精密搬送モード、あるいは高速搬送モードのいずれかの搬送モードにて原稿を搬送する。
【０１６７】
ユーザは、操作表示部１７０から、画像形成装置１００を、プリンタ、ファクシミリ装置、スキャナ装置のいずれで動作させるかを選択し、選択結果に付随する動作条件を選択できる。そして選択が終了した後、スタートボタン１７５を押圧することにより、選択した機能、および動作条件にて画像形成装置１００の動作を開始させることができる。
【０１６８】
図１２は、実施の形態１の操作表示部１７０から入力された画像情報に関する設定から画像形成装置１００の制御部１９０が行う搬送モードの決定と、決定した搬送モードにて原稿読み取り装置２００が行う原稿の搬送動作を説明するフローチャートである。
【０１６９】
なお、図１２のフローチャートは、原稿読み取り装置２００に原稿が載置されており、画像形成装置１００は、原稿読み取り装置２００が取得した画像情報を用いてジョブを行う状況を前提としている。
【０１７０】
以下、ユーザが選択した入力された画像情報に関する設定が、画像形成装置１００をスキャナ装置として動作させ、解像度の選択が、「解像度  １００ｄｐｉ（普通）」、であるときを実施例として説明する。
【０１７１】
画像形成装置１００のＣＰＵ１９１は、ステップＳ１０１にて、ユーザにより操作表示部１７０にジョブ情報が入力され、操作表示部１７０のスタートボタン１７５が押圧されることを待つ。
【０１７２】
実施例においては、ユーザの選択は、画像形成装置１００をスキャナ装置として動作させることであるので、機能選択ボタンのうちのＳＣＡＮボタン１７３が押圧され、また、解像度の選択が、１００ｄｐｉ（普通）、であるので、動作条件として表示部１７９ＳＡ１の押圧がなされた後に、スタートボタン１７５が押圧される。
【０１７３】
ユーザによりスタートボタン１７５が押圧されると、ステップＳ１０２に移行する。
【０１７４】
ステップＳ１０２にては、ＣＰＵ１９１は、ＲＯＭ１９５に収納されたモード決定テーブルを参照し、入力された画像情報に関する設定が、原稿読み取り装置２００を「精密搬送モード」に対応するものであるか否かを確認する。前述のように、ＲＯＭ１９５にはモード決定テーブルとして、表１に示した、入力された画像情報に関する設定と、設定に適当とする原稿の搬送モードとの組み合わせが収納されている。
【０１７５】
入力された画像情報に関する設定が「精密搬送モード」に対応するものであるとき（ステップＳ１０２  Ｙｅｓ）にはステップＳ１０３に移行し、ステップＳ１０３にて、原稿読み取り装置２００を「精密搬送モード」にて動作させることを決定して、ステップＳ１０５に移行する。
【０１７６】
一方、入力された画像情報に関する設定が「精密搬送モード」に対応するものでないとき（ステップＳ１０２  Ｎｏ）にはステップＳ１０４に移行し、ステップＳ１０４にて、原稿読み取り装置２００を「高速搬送モード」にて動作させることを決定して、ステップＳ１０５に移行する。
【０１７７】
実施例においては、機能選択が「ＳＣＡＮ」であり、動作条件選択が「解像度  １００ｄｐｉ（普通）」、であるので、ステップＳ１０４にて決定される搬送モードは「高速搬送モード」である。
【０１７８】
ステップＳ１０５にては、ＣＰＵ１０９は、決定した搬送モード情報を含む「搬送モード情報」として原稿読み取り装置２００に発信し、ステップＳ１０６に移行する。
【０１７９】
実施例においては、決定した搬送モードが「高速搬送モード」である情報を含む「搬送モード情報」が稿自動搬送装置２００に発信される。
【０１８０】
ステップＳ１０６にては、ＣＰＵ１０９は、画像読み取り装置２００から画像情報が伝達されることを待ち、画像情報を受信（ステップＳ１０６  Ｙｅｓ）と、ステップＳ１０７に移行して画像形成装置１００をジョブ内容に基づいて動作させ、ジョブを実行して動作を終了する。
【０１８１】
実施例においては、原稿読み取り装置２００が「高速搬送モード」にて搬送された原稿から取得した画像情報を受信し、受信した画像情報を、ネットワーク回線９１０を介して接続された他の装置に送信する。
【０１８２】
一方、原稿読み取り装置２００においては、ＣＰＵ２０９は、ステップＳ２０１にて、画像形成装置１００から「搬送モード情報」が発信されるのを待つ。そして、「搬送モード情報」を受信する（ステップＳ２０１  Ｙｅｓ）と、ステップＳ２０２に移行し、「搬送モード情報」に含まれるモード情報が、「精密搬送モード」であるか否かを確認する。
【０１８３】
実施例においては、「搬送モード情報」にはモード情報として「高速搬送モード」が含まれる。
【０１８４】
「搬送モード情報」に含まれるモード情報、つまり制御部１９０からの指示が「精密搬送モード」であるとき（ステップＳ２０２  Ｙｅｓ）には、ＣＰＵ２０９は、ステップＳ２０３に移行して、ＲＯＭ２９５に収納された、ＣＰＵ２９１が、原稿搬送部２３０の第１モータＭ１〜第５モータＭ５を、精密搬送モードにて動作させるプログラムを実行し、原稿読み取り装置２００を精密搬送モードにて動作させる。原稿読み取り装置２００が精密搬送モードにて動作するときは、搬送される原稿のレジストレーションがなされ、傾きのない原稿が原稿読み取り部２５０の対向位置に搬送される。
【０１８５】
また、「搬送モード情報」に含まれるモード情報が、「精密搬送モード」でないとき（ステップＳ２０２  Ｎｏ）、つまり制御部１９０からの指示が「高速搬送モード」である場合には、ＣＰＵ２９１は、ステップＳ２０４に移行して、ＲＯＭ２９５に収納された、ＣＰＵ２９１が、原稿搬送部２３０の第１モータＭ１〜第５モータＭ５を、高速搬送モードにて動作させるプログラムを実行し、原稿読み取り装置２００を高速搬送モードにて動作させる。原稿読み取り装置２００が高速搬送モードにて動作するときは、精密搬送モードにて動作するときに比較して、短い時間間隔で原稿を搬送することができる。
【０１８６】
実施例においては、「搬送モード情報」に含まれるモード情報が、「高速搬送モード」であり、「精密搬送モード」ではないので、ＣＰＵ２０９は、ステップＳ２０４にて高速搬送モードにて動作させるプログラムを実行する。
【０１８７】
ＣＰＵ２０９は、ステップＳ２０３、あるいはステップＳ２０４にて原稿搬送を行い、ステップＳ２０５にて２５０に画像情報を取得させ、ステップＳ２０６にて取得した画像情報を画像形成装置１００に送信して、原稿読み取り装置２００の動作を終了させる。
【０１８８】
原稿読み取り装置２００は精密搬送モードにて動作するときは原稿の傾きのない画像情報を取得することができ、高速搬送モードで動作するとき、単位時間あたりの原稿読み込み枚数を増加することができる。このように、画像形成装置１００の制御部１９０が、原稿読み取り装置２００に取得させる画像情報が、原稿の傾きを許容される場合には搬送モードを高速搬送モードに決定し、その決定により原稿読み取り装置２００は動作させるので、原稿読み取り装置２００が画像情報を取得するに際しての、単位時間あたりの原稿読み込み枚数を増加することができる。
＜実施の形態２＞
実施の形態１の操作表示部１７０が配された画像形成装置１００は、プリンタ、ファクシミリ装置、スキャナ装置のいずれかとして動作するとき、操作表示部１７０に入力された画像情報に関する設定から搬送モードを決定し、決定した搬送モードにて原稿読み取り装置２００を動作させるものであった。以下説明する実施の形態２の操作表示部１７０は、ユーザが、原稿読み取り装置の原稿搬送を高速搬送モードにて行わせるか、精密搬送モードで行わせるか、を選択できるものである。
【０１８９】
実施の形態２の操作表示部１７０を備える画像形成装置は、ユーザは、原稿読み取り装置の原稿搬送を高速搬送モードにて行わせるか、精密搬送モードで行わせるか、実施の形態２の操作表示部１７０から入力できる。
【０１９０】
実施の形態２の操作表示部１７０について、図１３、図１４、図１５を用いて説明する。なお、実施の形態２の操作表示部１７０説明においては、先に説明した実施の形態１の操作表示部１７０と同一の機能を有するものは、実施の形態１に用いた記号と同一の記号を付している。また、実施の形態１と同一の機能のものについては、重複する説明を省略している。
【０１９１】
図１３、図１４、図１５に示すように、実施の形態２の操作表示部１７０は、コピーボタン１７１、ＦＡＸボタン１７２、スキャナボタン１７３、テンキーボタン１７４、スタートボタン１７５、および表示画面部１７９を有している。この操作表示部１７０は原稿読み取り装置の原稿搬送を高速搬送モードにて行わせるか、搬送モードで行わせるか、を入力できる入力手段として機能する。
【０１９２】
実施の形態２の操作表示部１７０を配した画像形成装置１００は、コピーボタン１７１、ＦＡＸボタン１７２、スキャナボタン１７３、のうちのコピーボタン１７１が押圧されたときプリンタとして動作する。
【０１９３】
図１３は、実施の形態２の操作表示部１７０において画像形成装置１００をプリンタとして動作させることが選択されたとき、操作表示部１７０を示す図である。
【０１９４】
図１３（ａ）は、操作表示部１７０のコピーボタン１７１が押圧されたときの操作表示部１７０に表示される「プリンタ実行画面」を示す図である。表示画面部１７９には、「プリンタ実行画面」として画像形成装置１００がプリンタとして動作するに際しての動作条件が、条件表示部１７９ＣＡ、１７９ＣＢ、１７９ＣＣ、１７９ＣＤに表示される。
【０１９５】
図１３（ａ）に示す「プリンタ実行画面」の条件表示部１７９ＣＤには、動作条件が「原稿搬送  自動」であることが表示されている。「原稿搬送  自動」とは、表１に示した組み合わせにて、操作表示部１７０に入力されたジョブ内容から原稿読み取り装置２００を動作させる搬送モードが選択され、その選択結果にて原稿読み取り装置２００を動作させる選択である。
【０１９６】
画像形成装置１００をプリンタとして、「プリンタ実行画面」に表示された動作条件にて動作させるには、この状態でスタートボタン１７５を押圧すればよい。なお、「プリンタ実行画面」に表示された動作条件とは異なる条件のもとでプリンタとして動作させたいときには、「プリンタ実行画面」における条件表示部１７９ＣＡ、１７９ＣＢ、１７９ＣＣ、１７９ＣＤに表示された動作条件のうちの変更を行いたい項目が表示された条件表示部を選択、押圧して設定変更ボタン１７９ＣＡＺを押圧すると、変更を行いたい項目の選択可能な条件が表示される画面が表示されるので、その画面から選択を行うことにより、変更を行うことが可能である。
【０１９７】
図１３（ｂ）は、図１３（ａ）に示す「プリンタ実行画面」から条件表示部１７９ＣＤが選択され、設定変更ボタン１７９ＣＺが押圧されたときの操作表示部１７０を示す図である。
【０１９８】
表示画面部１７９には、動作条件としての原稿搬送の選択肢が、表示部１７９ＣＤ１、１７９ＣＤ２、１７９ＣＤ３に表示される。表示部１７９ＣＤ１には選択可能な条件の一つが「原稿搬送  自動」であること、表示部１７９ＣＤ２には選択可能な条件の一つが「原稿搬送  高速」であること、表示部１７９ＣＤ３には選択可能な条件の一つが「原稿搬送  精細」であることがそれぞれ表示される。この画面が、画像形成装置１００がプリンタとして動作するに際して選択可能な動作条件が表示された「条件選択画面」である。
【０１９９】
表示部１７９ＣＤ１の「原稿搬送  自動は」は、前述したように、表１に示した組み合わせにて、操作表示部１７０に入力されたジョブ内容から原稿読み取り装置２００を動作させる搬送モードが選択され、その選択結果にて原稿読み取り装置２００を動作させる選択であり、特許請求の範囲に記した第１の選択である。
【０２００】
表示部１７９ＣＤ２の「原稿搬送  高速」は、原稿読み取り装置２００を常に高速搬送モードにて動作させる選択であり、特許請求の範囲に記した第２の選択である。
【０２０１】
表示部１７９ＣＤ３の「原稿搬送  精密」は、原稿読み取り装置２００を常に精密搬送モードにて動作させる選択であり、特許請求の範囲に記した第３の選択である。
【０２０２】
図１３（ｂ）に示す「条件選択画面」から、ユーザにより表示部１７９ＣＤ１〜１７９ＣＤ３のいずれかが選択、押圧され、ＯＫボタン１７９ＣＤＺが押圧されると、表示画面部１７９の表示は、選択された原稿搬送条件が表示された「プリンタ実行画面」に戻る。ユーザはスタートボタン１７５を押圧することにより、画像形成装置１００を、「プリンタ実行画面」に表示された動作条件にて、プリンタとして動作させることができる。
【０２０３】
第１の選択が選択され、「プリンタ実行画面」に第１の選択が表示されているときは、画像形成装置１００は、「プリンタ実行画面」に表示されたジョブ内容にて、画像形成装置１００のＲＯＭ１９５に収納されたモード決定テーブルを参照して、搬送モードを決定し、決定した搬送モードにて原稿読み取り装置２００を動作させる。
【０２０４】
第２の選択が選択され、「プリンタ実行画面」に第２の選択が表示されているときは、画像形成装置１００は、搬送モードを高速搬送モードに決定し、高速搬送モードにて原稿読み取り装置２００を動作させる。
【０２０５】
第３の選択が選択され、「プリンタ実行画面」に第３の選択が表示されているときは、画像形成装置１００は、搬送モードを精密搬送モードに決定し、精密搬送モードにて原稿読み取り装置２００を動作させる。
【０２０６】
図１４は、実施の形態２の操作表示部１７０において、画像形成装置１００をファクシミリ装置として動作させることが選択されたときの操作表示部１７０を示す図である。
【０２０７】
画像形成装置１００は、機能選択ボタンのうちのＦＡＸボタン１７２が押圧されたときファクシミリ装置として動作する。
【０２０８】
図１４（ａ）は、ＦＡＸボタン１７２が押圧されたときの操作表示部１７０に表示される「ファクシミリ実行画面」を示す図である。
【０２０９】
図１４（ａ）に示す「ファクシミリ実行画面」には、動作条件が、条件表示部１７９ＦＡに「原稿品質  文字＋写真」であること、条件表示部１７９ＦＤに、「原稿搬送  自動」であることが表示されている。
【０２１０】
また、画像形成装置１００を「ファクシミリ実行画面」に表示されている条件とは異なる条件で動作させたいときには、「ファクシミリ実行画面」における条件表示部１７９ＦＡを選択、押圧した後、表示画面部１７９に表示されている設定変更ボタン１７９ＦＺを押圧することにより、条件の変更を行うことが可能である。
【０２１１】
図１４（ｃ）は、図１４（ａ）に示す「ファクシミリ実行画面」から条件表示部１７９ＦＤが選択され、設定変更ボタン１７９ＦＺが押圧されたときの操作表示部１７０を示す図である。
【０２１２】
「ファクシミリ実行画面」における条件表示部１７９ＦＤが選択され、設定変更ボタン１７９ＦＺが押圧されると、画面は「条件選択画面」となり、表示画面部１７９には、動作条件としての原稿搬送の選択肢が、表示部１７９ＦＤ１、１７９ＦＤ２、１７９ＦＤ３に表示される。
【０２１３】
「ファクシミリ実行画面」における「条件選択画面」に表示される表示部１７９ＦＤ１には「原稿搬送  自動」が、表示部１７９ＦＤ２には「原稿搬送  高速」が、表示部１７９ＦＤ３には「原稿搬送  精密」が表示される。
【０２１４】
表示部１７９ＦＤ１の「原稿搬送  自動」は、操作表示部１７０に入力されたジョブ内容から、表１に示した組み合わせにて原稿読み取り装置２００を動作させる搬送モードが選択され、その選択結果にて原稿読み取り装置２００を動作させる選択であり、特許請求の範囲に記した第１の選択である。また、表示部１７９ＦＤ２の「原稿搬送  高速」は、原稿読み取り装置２００を高速搬送モードにて動作させる選択であり、特許請求の範囲に記した第２の選択である。表示部１７９ＦＤ３の「原稿搬送  精密」は、原稿読み取り装置２００を精密搬送モードにて動作させる選択であり、特許請求の範囲に記した第３の選択である。
【０２１５】
図１４（ｃ）に示す「条件選択画面」から、ユーザにより表示部１７９ＦＤ１〜１７９ＦＤ３のいずれかが選択、押圧され、ＯＫボタン１７９ＦＡＺが押圧されると、表示画面部１７９の表示は、選択された原稿品質が表示された「ファクシミリ実行画面」に戻る。ユーザは、画像形成装置１００を、「ファクシミリ実行画面」に表示された動作条件にて、ファクシミリ装置として動作させることができる。
【０２１６】
第１の選択が選択され、「ファクシミリ実行画面」に第１の選択が表示されているときは、画像形成装置１００は、「ファクシミリ実行画面」に表示されたジョブ内容にて、画像形成装置１００のＲＯＭ１９５に収納されたモード決定テーブルを参照して、搬送モードを決定し、決定した搬送モードにて原稿読み取り装置２００を動作させる。
【０２１７】
第２の選択が選択され、「ファクシミリ実行画面」に第２の選択が表示されているときは、画像形成装置１００は、搬送モードを高速搬送モードに決定し、高速搬送モードにて原稿読み取り装置２００を動作させる。
【０２１８】
第３の選択が選択され、「ファクシミリ実行画面」に第３の選択が表示されているときは、画像形成装置１００は、搬送モードを精密搬送モードに決定し、精密搬送モードにて原稿読み取り装置２００を動作させる。
【０２１９】
図１５は、実施の形態２の操作表示部１７０において、画像形成装置１００をスキャナ装置として動作させることが選択されたときの操作表示部１７０を示す図である。
【０２２０】
画像形成装置１００は、機能選択ボタンのうちのスキャナボタン１７３が押圧されたときスキャナ装置として動作する。
【０２２１】
図１５（ａ）は、スキャナボタン１７３が押圧されたとき操作表示部１７０に表示される「スキャナ実行画面」を示す図である。
【０２２２】
「スキャナ実行画面」には、画像形成装置１００がスキャナ装置として動作するに際しての動作条件が表示される。本実施の形態の画像形成装置１００は、スキャナ装置として動作するとき条件表示部１７９ＳＡに表示された動作条件にて動作する。
【０２２３】
図１５（ａ）に示す「スキャナ実行画面」の条件表示部１７９ＳＡには、動作条件が「解像度  １００ｄｐｉ（普通）」であること、条件表示部１７９ＦＤには、「原稿搬送  自動」であることが表示されている。「原稿搬送  自動」とは、操作表示部１７０に入力されたジョブ内容から、表１に示した組み合わせにて原稿読み取り装置２００を動作させる搬送モードが選択され、その選択結果にて原稿読み取り装置２００を動作させる選択である。
【０２２４】
「スキャナ実行画面」に表示された動作条件で画像形成装置１００をスキャナ装置として動作させることに問題がなければ、ユーザはスタートボタン１７５を押圧すればよい。
【０２２５】
また、画像形成装置１００を「スキャナ実行画面」に表示されている条件とは異なる条件で動作させたいときには、「スキャナ実行画面」における条件表示部１７９ＳＡ、あるいは条件表示部１７９ＳＢを選択、押圧した後、表示画面部１７９に表示されている設定変更ボタン１７９ＳＺを押圧することにより条件の変更を行うことが可能である。
【０２２６】
図１５（ｃ）は、図１５（ａ）に示す「スキャナ実行画面」から条件表示部１７９ＳＤが選択され、設定変更ボタン１７９ＳＺが押圧されたときの操作表示部１７０を示す図である。
【０２２７】
「スキャナ実行画面」における条件表示部１７９ＳＢが選択され、設定変更ボタン１７９ＳＺが押圧されると、画面は「条件選択画面」となり、表示画面部１７９には、動作条件としての原稿搬送の選択肢が、表示部１７９ＳＤ１、１７９ＳＤ２、１７９ＳＤ３に表示される。
【０２２８】
表示部１７９ＳＤ１の「原稿搬送  自動」は、操作表示部１７０に入力されたジョブ内容から、表１に示した組み合わせにて原稿読み取り装置２００を動作させる搬送モードが選択され、その選択結果にて原稿読み取り装置２００を動作させる選択であり、特許請求の範囲に記した第１の選択である。また、表示部１７９ＳＤ２の「原稿搬送  高速」は、原稿読み取り装置２００を高速搬送モードにて動作させる選択であり、特許請求の範囲に記した第２の選択である。表示部１７９ＳＤ３の「原稿搬送  精密」は、原稿読み取り装置２００を精密搬送モードにて動作させる選択であり、特許請求の範囲に記した第３の選択である。
【０２２９】
図１５（ｃ）に示す「条件選択画面」から、ユーザにより表示部１７９ＳＤ１〜１７９ＳＤ３のいずれかが選択、押圧され、ＯＫボタン１７９ＳＢＺが押圧されると、表示画面部１７９の表示は、選択された原稿品質が表示された「スキャナ実行画面」に戻る。ユーザは、画像形成装置１００を、「スキャナ実行画面」に表示された動作条件にて、スキャナ装置として動作させることができる。
【０２３０】
第１の選択が選択され、「スキャナ実行画面」に第１の選択が表示されているときは、画像形成装置１００は、「スキャナ実行画面」に表示されたジョブ内容にて、画像形成装置１００のＲＯＭ１９５に収納されたモード決定テーブルを参照して、搬送モードを決定し、決定した搬送モードにて原稿読み取り装置２００を動作させる。
【０２３１】
第２の選択が選択され、「スキャナ実行画面」に第２の選択が表示されているときは、画像形成装置１００は、搬送モードを高速搬送モードに決定し、高速搬送モードにて原稿読み取り装置２００を動作させる。
【０２３２】
第３の選択が選択され、「スキャナ実行画面」に第３の選択が表示されているときは、画像形成装置１００は、搬送モードを精密搬送モードに決定し、精密搬送モードにて原稿読み取り装置２００を動作させる。
【０２３３】
図１６は、実施の形態２の操作表示部１７０から入力された画像情報に関する設定に基づいて画像形成装置１００の制御部１９０が行う搬送モードの決定と、決定した搬送モードにて原稿読み取り装置２００が行う原稿の搬送動作を説明するフローチャートである。
【０２３４】
なお、図１６に示すフローチャートは、図１２に示したフローチャートにステップＳ１０２ａ、ステップＳ１０２ｂを付加したものであり、その他の工程は図１２に示したものと同一であり、以下、付加したステップＳ１０２ａ、ステップＳ１０２ｂを主体に説明する。
【０２３５】
画像形成装置１００のＣＰＵ１９１は、ステップＳ１０１にて、ユーザにより操作表示部１７０にジョブ情報が入力され、操作表示部１７０のスタートボタン１７５が押圧されることを待つ。
【０２３６】
ユーザによりスタートボタン１７５が押圧されると、ステップＳ１０２ａに移行する。
【０２３７】
ステップＳ１０２ａにては、ＣＰＵ１９１は、原稿搬送の選択が第１の選択、すなわち「原稿搬送  自動」であるか否かを確認する。そして、選択が第１の選択である（ステップＳ１０２ａ  Ｙｅｓ）ときはステップＳ１０２ｂに移行する。ステップＳ１０２ｂにては、ＣＰＵ１９１は、ＲＯＭ１９５に収納されたモード決定テーブルを参照し、入力された画像情報に関する設定が、原稿読み取り装置２００を「精密搬送モード」にて動作させる条件のものであるか否かを確認する。そして、入力された画像情報に関する設定が「精密搬送モード」にて動作させる条件のものであるとき（ステップＳ１０２ｂ  Ｙｅｓ）にはステップＳ１０３に移行し、「精密搬送モード」にて動作させる条件のものでない（ステップＳ１０２ａ  Ｎｏ）ときにはステップＳ１０４に移行する。
【０２３８】
一方、ステップＳ１０２ｂにおける確認結果が第１の選択でない（ステップＳ１０２ｂ  Ｎｏ）ときはステップＳ１０２ｃに移行する。
【０２３９】
ステップＳ１０２ｃにては、原稿搬送の選択が第２の選択、すなわち、「原稿搬送  高速」であるか否かを確認する。そして、選択が第２の選択である（ステップＳ１０２ｃ  Ｙｅｓ）であるときはステップＳ１０４に移行し、第２の選択でない（ステップＳ１０２ｃ  Ｎｏ）であるときはステップＳ１０３に移行する。
【０２４０】
ステップＳ１０３にては、ＣＰＵ１９１は、原稿読み取り装置２００を「精密搬送モード」にて動作させることを決定して、ステップＳ１０５に移行する。
【０２４１】
ステップＳ１０４にては、ＣＰＵ１９１は、原稿読み取り装置２００を「高速搬送モード」にて動作させることを決定して、ステップＳ１０５に移行する。
【０２４２】
ステップＳ１０５以降は、図１２に示したフローチャートと同一の工程にて画像形成装置１００および原稿読み取り装置２００は動作するので、説明は省略する。
【０２４３】
このように、実施の形態２における操作表示部１７０からは、第１の選択を選択することにより、入力された画像情報に関する設定から用紙の搬送モードを決定し、決定した搬送モードにて動作させることができる。そして、第２の選択を選択することにより、レジストレーションを行って、傾くことなく搬送された原稿から画像情報を取得させること、第３の選択を選択することにより、単位時間あたりの原稿読み取り枚数を増加させることができ、ユーザの意図を反映した原稿搬送を行うことができる。
【図面の簡単な説明】
【０２４４】
【図１】本発明の原稿読み取り装置２００を画像形成装置１００に搭載した形態を示す図である。
【図２】原稿読み取り装置２００の構成および動作を説明する概念図である。
【図３】原稿読み取り装置２００が原稿の搬送を開始した状態を示す図である。
【図４】ローラ対Ｒ３によりなされるレジストレーションの動作を説明する図である。
【図５】図４（ｃ）に示した、原稿センサ２４２から原稿後端検知信号が発信され時点から、ｔＥ３Ｒが経過した時点を示す図である。
【図６】精密搬送モードにおいて、先行する原稿Ｐ１と、原稿Ｐ１に後続する原稿Ｐ２とが搬送されるときの動作を説明する図である。
【図７】レジストレーションを行わずに原稿の搬送を行う高速搬送モードの動作を説明する図である。
【図８】画像形成装置１００および、画像形成装置１００に搭載されている原稿読み取り装置２００の制御系を示すブロック図である。
【図９】実施の形態１の操作表示部１７０においてコピーボタン１７１が押圧され画像形成装置１００をプリンタとして動作させることが選択されたときの操作表示部１７０を示す図である。
【図１０】実施の形態１の操作表示部１７０において画像形成装置１００をファクシミリ装置として動作させることが選択されたときの操作表示部１７０を示す図である。
【図１１】実施の形態１の操作表示部１７０において、画像形成装置１００をスキャナ装置として動作させることが選択されたときの操作表示部１７０を示す図である。
【図１２】実施の形態１の操作表示部１７０から入力されたジョブ情報から画像形成装置１００が行う搬送モードの決定と、決定した搬送モードにて原稿読み取り装置２００が行う原稿の搬送動作を説明するフローチャートである。
【図１３】実施の形態２の操作表示部１７０において画像形成装置１００をプリンタとして動作させることが選択されたとき、操作表示部１７０を示す図である。
【図１４】実施の形態２の操作表示部１７０において、画像形成装置１００をファクシミリ装置として動作させることが選択されたときの操作表示部１７０を示す図である。
【図１５】実施の形態２の操作表示部１７０において画像形成装置１００をスキャナ装置として動作させることが選択されたときの操作表示部１７０を示す図である。
【図１６】実施の形態２の操作表示部１７０から入力されたジョブ情報から画像形成装置１００が行う搬送モードの決定と、決定した搬送モードにて原稿読み取り装置２００が行う原稿の搬送動作を説明するフローチャートである。
【符号の説明】
【０２４５】
１００  画像形成装置
１１０  画像読み取り部
１２０  画像処理部
１３０  画像書込部
１４０  画像形成部
１５０  給紙搬送部
１６０  定着部
１７０  操作表示部
１９０  制御部
１９１  ＣＰＵ
２００  原稿読み取り装置
２１０  原稿載置台
２２０  原稿排出台
２３０  原稿搬送部
２４１、２４２  原稿センサ
２５０  原稿読み取り部
２９０  原稿搬送制御部
２９１  ＣＰＵ
Ｒ３  レジストローラ
Ｐ  原稿
Ｓ  記録紙
【図１】
2010021832.tif 000004
【図２】
2010021832.tif 000005
【図３】
2010021832.tif 000006
【図４】
2010021832.tif 000007
【図５】
2010021832.tif 000008
【図６】
2010021832.tif 000009
【図７】
2010021832.tif 000010
【図８】
2010021832.tif 000011
【図９】
2010021832.tif 000012
【図１０】
2010021832.tif 000013
【図１１】
2010021832.tif 000014
【図１２】
2010021832.tif 000015
【図１３】
2010021832.tif 000016
【図１４】
2010021832.tif 000017
【図１５】
2010021832.tif 000018
【図１６】
2010021832.tif 000019